(57)【特許請求の範囲】
【請求項１】
ジブ作業姿勢においてブームの先端上部とジブの先端適所の間に張設されるテンションロッドの格納構造であって、
前記ジブの先端適所に連結されるロッド先端連結部と、ジブ格納姿勢において前記ジブの基端適所に連結されるロッド基端連結部と、を有するテンションロッドと；
前記ロッド先端連結部と連結されるジブ先端連結部と、ジブ格納姿勢において前記テンションロッドの中間部を受けるコ字型のガイド部材と、前記ロッド基端連結部と連結されるジブ基端連結部と、を有するジブと；を備え、
ジブ格納姿勢において、前記ロッド先端連結部が前記ジブ先端連結部と連結されるとともに、前記ロッド基端連結部が前記ジブ基端連結部と連結された状態で、前記テンションロッドの弾性変形による復元力によって、前記テンションロッドの中間部が前記コ字型のガイド部材に押し付けられるようになっている、テンションロッドの格納構造。
【請求項２】
前記テンションロッドが前記ジブよりも下方に位置する反転姿勢において、前記テンションロッドが前記コ字型ガイド部材の底面部に押し付けられ固定されるようになっている、請求項１に記載されたテンションロッドの格納構造。
【請求項３】
ジブ格納姿勢において、前記ジブは、ジブ作業姿勢におけるジブ下面を前記ブーム側面に引き寄せた横抱姿勢で保持されるようになっている、請求項１又は請求項２に記載されたテンションロッドの格納構造。
【請求項４】
ジブ格納姿勢において、前記ジブは、ジブ作業姿勢におけるジブ下面を前記ブーム下面に引き寄せた下抱姿勢で保持されるようになっている、請求項１又は請求項２に記載されたテンションロッドの格納構造。
【請求項５】
前記ブームの先端には、前記ロッド基端連結部と連結されるテンションロッド接続リンクが取り付けられ、
前記ジブは、前記ロッド先端連結部を前記ジブの軸線方向に摺動自在に支承する、前記ジブ先端連結部としてのサポート部材と、前記ジブの軸線方向に伸縮して前記ロッド先端連結部を摺動させるチルトシリンダと、を有し、
ジブ格納姿勢において、前記ロッド先端連結部は前記サポート部材内の基端寄りの位置に配置されるとともに、前記ロッド基端連結部が前記ジブ基端連結部と連結された状態で、前記テンションロッドの弾性変形による復元力によって、前記テンションロッドの中間部が前記コ字型のガイド部材に押し付けられるようになっており、
ジブ作業姿勢において、前記ロッド先端連結部は前記チルトシリンダを伸縮することで前記サポート部材内を摺動移動されて所定位置に配置されるとともに、前記ロッド基端連結部は前記テンションロッド接続リンクと連結されるようになっている、請求項１乃至請求項４のいずれか一項に記載されたテンションロッドの格納構造。
【発明の詳細な説明】
【技術分野】
【０００１】
本発明は、ブームの先端上部とジブの先端適所の間に張設されるテンションロッドの格納構造に関するものである。
【背景技術】
【０００２】
従来から、移動式クレーンは、入れ子式に構成されたブームを備えている。このブーム（主ジブ）の先端ブームの先端にはブームヘッドが設けられ、ブームヘッドにジブ（補助ジブ）が装着されることも多い。一般に、ジブは基端部が先端ブームの先端下部と係合するようにされている。
【０００３】
ところで、ジブを使用しない作業の場合には、ジブを格納することが必要となる。ジブの格納方式としては、格納状態においてジブをブームの下面に配置する下抱き格納方式と、ジブをブームの側面に配置する横抱き格納方式とが、代表的である。
【０００４】
このうち下抱き格納方式の移動式クレーンとして、例えば、特許文献１に開示されたものが知られている。特許文献１の移動式クレーンでは、その図１に示すように、ブーム下面において、ジブ基端部をブーム先端に向け、ジブ先端部をブーム基端に向けた状態で格納されるようになっている。その際、ジブの下面にブラケット状のロッド支持装置を設置してテンションロッドの中間部を保持するようになっている（特許文献１の図７参照）。より具体的にいうと、ロッド支持装置は、ジブの下面と一体に設けられた固定ブラケットと、固定ブラケットに回動可能に取り付けられる可動ブラケットとを有している。
【先行技術文献】
【特許文献】
【０００５】
【特許文献１】特開２００９−４０６０１号公報
【発明の概要】
【発明が解決しようとする課題】
【０００６】
しかしながら、上述した特許文献１に記載されたロッド支持装置は、構成が複雑なうえ、ジブ格納姿勢からジブを張り出す際に、テンションロッドの中間部を保持しているロッド支持装置を手作業で外すステップが必要となっていた。さらに、自重を支持するだけの構成のため、走行時に振動して接触音を発生するという問題もあった。
【０００７】
そこで、本発明は、簡単な構成であり、ジブを張り出す際にテンションロッドの中間部での作業を必要としない、テンションロッドの格納構造を提供することを目的としている。
【課題を解決するための手段】
【０００８】
前記目的を達成するために、本発明のテンションロッドの格納構造は、ジブ作業姿勢においてブームの先端上部とジブの先端適所の間に張設されるテンションロッドの格納構造であって、前記ジブの先端適所に連結されるロッド先端連結部と、ジブ格納姿勢において前記ジブの基端適所に連結されるロッド基端連結部と、を有するテンションロッドと；前記ロッド先端連結部と連結されるジブ先端連結部と、ジブ格納姿勢において前記テンションロッドの中間部を受けるコ字型のガイド部材と、前記ロッド基端連結部と連結されるジブ基端連結部と、を有するジブと；を備え、ジブ格納姿勢において、前記ロッド先端連結部が前記ジブ先端連結部と連結されるとともに、前記ロッド基端連結部が前記ジブ基端連結部と連結された状態で、前記テンションロッドの弾性変形による復元力によって、前記テンションロッドの中間部が前記コ字型のガイド部材に押し付けられるようになっている。
【発明の効果】
【０００９】
このように、本発明のテンションロッドの格納構造は、ロッド先端連結部とロッド基端連結部とを有するテンションロッドと、ジブ先端連結部とコ字型のガイド部材とジブ基端連結部とを有するジブとを備え、ジブ格納姿勢において、ロッド先端連結部がジブ先端連結部と連結されるとともに、ロッド基端連結部がジブ基端連結部と連結された状態で、テンションロッドの弾性変形による復元力によって、テンションロッドの中間部がコ字型のガイド部材に押し付けられるようになっている。このため、簡単な構成であり、ジブを張り出す際にテンションロッドの中間部での作業が必要とされないテンションロッドの格納構造となる。さらに、走行時の振動で接触音を発生することを抑制できる。
【図面の簡単な説明】
【００１０】
【図１】ラフテレーンクレーンの側面図である。
【図２】実施例１のジブのジブ格納姿勢の側面図である。
【図３】実施例１のジブのジブ格納姿勢の平面図である。
【図４】ガイド部材の断面図である。
【図５】ガイド部材の側面図である。
【図６】ジブ格納の手順の説明図である。（ａ）はテンションロッド外しステップであり、（ｂ）はブーム起し／縮めステップである。
【図７】ジブ格納の手順の説明図である。（ｃ）は補助ロープ設置ステップであり、（ｄ）はブーム倒し／ジブ外しステップであり、（ｅ）はジブサイドアップステップである。
【図８】横抱姿勢の断面図である。
【図９】下抱姿勢の断面図である。
【図１０】実施例２のジブのジブ格納姿勢の側面図である。
【図１１】実施例２のジブのジブ作業姿勢の側面図である。
【発明を実施するための形態】
【００１１】
以下、本発明の実施の形態について図面を参照して説明する。ただし、以下の実施例に記載されている構成要素は例示であり、本発明の技術範囲をそれらのみに限定する趣旨のものではない。以下の実施例では、ラフテレーンクレーン１を例にして説明するが、これに限定されるものではなく、オールテレーンクレーンなどの移動式クレーンに広く本発明を適用できる。
【実施例１】
【００１２】
（構成）
まず、ラフテレーンクレーン１の全体構成を説明する。ラフテレーンクレーン１は、図１に示すように、走行機能を有する車両の本体部分となる車体１０と、車体１０の四隅に設けられたアウトリガ１１，・・・と、車体１０に水平旋回可能に取り付けられた旋回台１２と、旋回台１２に立設されたブラケット１３に取り付けられたブーム１４と、を備えている。
【００１３】
ブーム１４は、先端ブーム１４３と、基端ブーム１４１と、それらの間の中間ブーム１４２、・・・と、によって入れ子式（テレスコープ式）に構成されている。基端ブーム１４１の下部とブラケット１３との間には、起伏シリンダ１５が架け渡されて、ブーム１４全体が起伏できるようになっている。さらに、本実施例では、基端ブーム１４１の側面に、ジブ３０及びテンションロッド２０が横抱姿勢にて格納されている。
【００１４】
図２、３は、ジブ３０を格納したジブ格納姿勢における、テンションロッド２０及びジブ３０を示している。ただし、以下の説明において、特に言及しない場合は「上方向／下方向」はジブ作業姿勢における方向で規定している。
【００１５】
テンションロッド２０は、全体として長尺の棒状に形成される。テンションロッド２０は、複数の取付孔を有する長さ調節部２４と、中空の鋼管パイプからなる本体部２５と、本体部２５の先端側に配置されてジブ３０のジブ先端連結部３１に連結されるロッド先端連結部２１と、本体部２５の基端側に配置されてジブ格納姿勢においてジブ３０のジブ基端連結部３２に連結されるロッド基端連結部２２と、テンションロッド２０の基端近傍を把持するためのグリップ２３と、を有している。
【００１６】
ロッド先端連結部２１は、ジブ先端連結部３１にピンを連通することで回動自在に取り付けられる。なお、ロッド先端連結部は、後述するようにジブ先端連結部としての長孔に摺動自在に支承され、チルトシリンダを伸縮することで摺動するように構成することもできる（実施例２参照）。
【００１７】
ジブ３０は、全体として略Ｙ字状に形成される。ジブ３０の（ジブ作業時における）基端側は、先端ブーム１４３の先端のブームヘッド１４４（図１参照）下部の両側の係合部（不図示）と係合するように二股に分岐されており、分岐した先端にはＵ字状の係合部３３が取り付けられている。ジブ３０の先端側は、箱状構造となっており、その最先端に２枚のプレートが取り付けられてシーブが回転自在に挟持されている。
【００１８】
そして、本実施例のジブ３０は、ロッド先端連結部２１と連結されるジブ先端連結部３１と、ジブ格納姿勢においてテンションロッド２０の中間部を受けるコ字型のガイド部材４０と、ロッド基端連結部２２と連結されるジブ基端連結部３２と、を有する。
【００１９】
ジブ先端連結部３１は、図２、３に示すように、ジブ３０の先端上部に配置されて、テンションロッド２０のロッド先端連結部２１とピンによって連結される。なお、ジブ先端連結部としては、後述するように、ロッド先端連結部をジブの軸線方向に摺動自在に支承する長穴を形成することもできる（実施例２参照）。
【００２０】
ジブ基端連結部３２は、図２、３に示すように、ジブ３０の基端上部に配置されて、テンションロッド２０のロッド基端連結部２２とピンによって連結される。後述するように、このジブ基端連結部３２にロッド基端連結部２２を連結するために、テンションロッド２０のグリップ２３を作業者が手で把持して押し下げる。ただし、テンションロッド２０は中間部をガイド部材４０で支持された状態で自重によって下方に撓んでいるため、下に押し下げる力は人力で十分な大きさである。
【００２１】
そして、ガイド部材４０は、図４、５に示すように、全体としてジブ３０から上方外側に突出する腕状に形成される。ガイド部材４０は、テンションロッド２０を受けるコ字部４１と、コ字部４１を支持する腕部４２と、コ字部４１及び腕部４２を下方から支える補強部４３と、を有している。
【００２２】
コ字部４１は、ジブ作業姿勢において上向きに開くように、換言するとジブ３０の反対方向に向いて開くように形成される。コ字部４１のジブ３０の幅方向の位置は、ジブ先端連結部３１とジブ基端連結部３２を結ぶ直線上にコ字部４１の幅方向の中心が位置するように設定される。
【００２３】
そして、ガイド部材４０のコ字部４１のジブ３０の上面からの高さは、ジブ先端連結部３１とジブ基端連結部３２を結ぶ直線よりも上方向（ジブ作業姿勢）に所定の距離だけ離れた位置とされる。すなわち、コ字部４１の高さは、テンションロッド２０がジブ３０の下方に位置する反転姿勢において、テンションロッド２０が自重によって撓んだとしても、テンションロッド２０がコ字部４１の底面部に押し付けられ固定されるように設定される。換言すると、あらかじめ反転姿勢におけるガイド部材４０位置でのテンションロッド２０全長の自重による撓み量（形状）を計算しておき、少なくとも、計算した撓み量よりも上方（使用姿勢、反転姿勢では下方）にコ字部４１を配置すればよい。したがって、格納作業の途中でテンションロッド基端連結部２２をジブ基端連結部３２に連結する際には、ガイド部材４０によって中間部を支持された状態で撓んでいるため、少なくとも反転状態との撓み量の差分に相当する分の力を手で加える必要がある。
【００２４】
なお、ガイド部材４０の高さは、格納姿勢が下抱姿勢となる機種では、走行する場合の振動等を考慮すると、上述の撓み量に基づいて計算した高さに所定の余裕高さを加えることが好ましい。ただし、ガイド部材４０の高さは、テンションロッド２０のパイプ状の本体部２５が弾性変形する範囲内で、かつ、手で押して連結できる程度とする必要がある。
【００２５】
（作用）
次に、図６〜９を用いて、本実施例のテンションロッドの格納構造Ｓの作用について説明する。はじめに、図６（ａ）、（ｂ）及び図７（ｃ）、（ｄ）、（ｅ）を用いて、ジブ３０を格納する全体手順について説明する。なお、ジブ３０を格納姿勢から使用姿勢（張出姿勢）へと移行する手順は、概ね、以下の手順の逆順となる。
【００２６】
まず、図６（ａ）に示すように、ブーム１４を略水平な状態まで倒し、テンションロッド２０をブームヘッド１４４から取り外す。すなわち、ロッド先端連結部２１は、ピンによってジブ先端連結部３１に連結したまま、ロッド基端連結部２２は、ピンを抜いてブームヘッド１４４から取り外す。そして、本実施例では、テンションロッド２０の中間部をガイド部材４０内に載置した状態で、テンションロッド２０のグリップ２３を把持して手で下向きに押して位置を合わせ、ロッド基端連結部２２をジブ基端連結部３２にピンによって連結する。
【００２７】
これとは逆に、ジブ３０を張り出す際には、グリップ２３を把持して手で下向きに押しつつ、ピンを抜きロッド基端連結部２２をジブ基端連結部３２から取り外すことでテンションロッド２０の固定が解除される。すなわち、ガイド部材４０は上部が開いているため、テンションロッド２０の中間部において、従来のようなキャッチ部材の解除作業は必要ない。
【００２８】
次に、図６（ｂ）に示すように、ブーム１４を縮めながら、ブーム１４を起こす。そうすると、ジブ３０が自重によって回動して略垂直に立つ姿勢となる。
【００２９】
次に、図７（ｃ）に示すように、ジブ３０（及びテンションロッド２０、２０）に補助ワイヤ５０を掛けてウインチで巻き上げることで、ジブ３０をブーム１４の下面まで引き寄せる。
【００３０】
次に、図７（ｄ）に示すように、再びブーム１４を略水平な状態まで倒し、ジブ３０をブームヘッド１４４から取り外す。すなわち、ブーム１４を倒した状態で、ジブ３０の係合部３３からピンを抜き、ブーム１４を一時的に伸ばすことで、ジブ３０とブームヘッド１４４の係合を外す。さらに、基端ブーム１４１の側面に配置したサイドアップシリンダ（不図示）をピンによってジブ３０と連結する。
【００３１】
最後に、図７（ｅ）に示すように、サイドアップシリンダを縮めることで、ジブ３０を基端ブーム１４１の下面から、基端ブーム１４１の側面まで引き上げる。そして、ジブ３０の適所を基端ブーム１４１に固定してジブ３０の格納が完了する。
【００３２】
上述したように、図６（ａ）の工程では、ジブ３０はブームヘッド１４４の前方に振り出されている。この状態では、ジブ３０の上方にテンションロッド２０が位置している。そして、この状態で、テンションロッド２０の中間部をガイド部材４０内に載置し、グリップ２３を持って押し下げながら（弾性変形させながら）、テンションロッド２０の基端連結部２２がジブ３０の基端連結部３２とピンによって連結される。
【００３３】
図６（ｂ）〜図７（ｃ）の工程では、ジブ３０は、ブームヘッド１４４の下方に吊り下げられて立っている。この状態では、テンションロッド２０の長さ方向に重力が作用するため、ガイド部材４０からテンションロッド２０が逸脱することはない。
【００３４】
図７（ｄ）の工程では、ジブ３０は、ブーム１４下面に引き寄せられ、テンションロッド２０が下でジブ３０が上にある状態となっている。この状態では、ガイド部材４０からテンションロッド２０が逸脱する方向に重力が作用する。したがって、この状態はテンションロッド２０が最も逸脱しやすい状態である。ただし、本実施例では、自重による撓み量を超えるようにガイド部材４０の高さを設定しているため、この状態でもテンションロッド２０の復元力によって、テンションロッド２０の中間部はガイド部材４０の底面部に押し付けられている。なお、格納姿勢が下抱姿勢となる機種では、工程に相違点はあるものの、テンションロッド２０とジブ３０の荷重関係は図９に示す状態と同じである。
【００３５】
次に、図７（ｅ）の工程では、ジブ３０は、ブーム１４側面に引き寄せられて、テンションロッド２０が外側でジブ３０が内側にある状態となっている。そして、この状態が、横抱姿勢におけるジブ３０及びテンションロッド２０の格納姿勢となる。この状態では、図８に示すように、テンションロッド２０の復元力はコ字部４１の底壁を水平内向きに押す方向に作用し、かつ、テンションロッド２０の自重はコ字部４１の側壁を垂直下向きに押す方向に作用する。すなわち、復元力の作用方向と自重の作用方向とが略直交している。そして、自重はコ字部４１の側壁によって受け、復元力はコ字部４１の底壁で受けるようになっている。すなわち、テンションロッド２０がコ字部４１から逸脱する方向に力は作用しない。むしろ、テンションロッド２０がコ字部４１から逸脱することを妨げる方向に力が作用する。
【００３６】
（効果）
次に、本実施例のテンションロッドの格納構造Ｓの奏する効果を列挙して説明する。
【００３７】
（１）上述してきたように、本実施例のテンションロッドの格納構造Ｓは、ジブ作業姿勢においてブーム１４の先端上部とジブ３０の先端適所の間に張設されるテンションロッドの格納構造Ｓである。そして、テンションロッドの格納構造Ｓは、ジブ３０の先端適所に連結されるロッド先端連結部２１と、ジブ格納姿勢においてジブ３０の基端適所に連結されるロッド基端連結部２２と、を有するテンションロッド２０と；ロッド先端連結部２１と連結されるジブ先端連結部３１と、ジブ格納姿勢においてテンションロッド２０の中間部を受けるコ字型のガイド部材４０と、ロッド基端連結部２２と連結されるジブ基端連結部３２と、を有するジブ３０と；を備えている。そして、ジブ格納姿勢において、ロッド先端連結部２１がジブ先端連結部３１と連結されるとともに、ロッド基端連結部２２がジブ基端連結部３２と連結された状態で、テンションロッド２０の弾性変形による復元力によって、テンションロッド２０の中間部がコ字型のガイド部材４０に押し付けられるようになっている。このため、簡単な構成であり、ジブ３０の張出作業の際にテンションロッド２０の中間部での作業が必要とされないテンションロッドの格納構造Ｓとなる。
【００３８】
すなわち、テンションロッド２０の撓みを利用することで、簡単な構造のガイド部材４０によってテンションロッド２０を格納・保持できる。さらに、ガイド部材４０は上方が開いた構造であるため、ジブ３０の張出作業の際に従来のようにキャッチ部材を解除する必要はない。
【００３９】
（２）また、テンションロッド２０がジブ３０よりも下方に位置する反転姿勢において、テンションロッド２０が自重によってガイド部材４０から逸脱しないように、テンションロッド２０がコ字型のガイド部材４０の底面部に押し付けられて固定されるように、ガイド部材４０のジブ３０からの高さが設定される。すなわち、格納作業においては、各工程によってジブ３０の姿勢が変化する。そして、各工程中、テンションロッド２０がジブ３０よりも下方に位置する反転姿勢の荷重状態が、テンションロッド２０がガイド部材４０から最も逸脱しやすい荷重状態である。そこで、この最も逸脱しやすい荷重状態となる反転姿勢であっても、テンションロッド２０がガイド部材４０の外に出ないようにガイド部材４０の高さを設定すれば、全工程においてテンションロッド２０がガイド部材４０から外れることを防止できる。具体的には、反転姿勢における自重による撓み量よりも、作業姿勢において高い位置にガイド部材４０の底面部を配置すればよい。
【００４０】
（３）さらに、ジブ格納姿勢において、ジブ３０は、ジブ作業姿勢におけるジブ３０下面を基端ブーム１４１側面に引き寄せた横抱姿勢で保持されるように構成できる。この横抱姿勢では、テンションロッド２０の自重はガイド部材４０の側壁によって支持され、同時に、テンションロッド２０の弾性変形による復元力はガイド部材４０の底部を押す方向に作用する。すなわち、横抱姿勢では、テンションロッド２０の弾性変形による復元力は、ガイド部材４０からの逸脱を妨げる方向に作用するため、テンションロッド２０がガイド部材４０から逸脱することはない。さらに、テンションロッド２０を撓ませてガタつきを抑えることにより、走行振動による接触音の発生を抑制できる。
【００４１】
（４）また、ジブ格納姿勢において、ジブ３０は、ジブ作業姿勢におけるジブ３０下面を基端ブーム１４１下面に引き寄せた下抱姿勢で保持されるように構成できる。この下抱姿勢では、テンションロッド２０の自重は、テンションロッド２０の弾性変形による復元力に対向する方向に作用する。しかしながら、テンションロッド２０の中間部がコ字型のガイド部材４０に押し付けられる程度の復元力を持たせることで、下抱姿勢でもテンションロッド２０のガイド部材４０からの逸脱を防止できる。
【実施例２】
【００４２】
以下、図１０、１１を用いて、実施例１とは異なる形態のテンションロッドの格納構造Ｓについて説明する。なお、前記実施の形態で説明した内容と同一乃至均等な部分の説明については同一符号を付して説明する。
【００４３】
（構成）
はじめに構成について説明する。図１０、１１に示すように、本実施例のテンションロッドの格納構造Ｓは、実施例１と同様に、テンションロッド２０と、ジブ６０と、によって構成されている。ただし、実施例１と異なり、テンションロッド２０は基端部が作業姿勢においてテンションロッド接続リンク１４５に接続され、先端部が作業姿勢及び格納姿勢においてサポート部材６１に摺動自在に支承されるチルトシリンダ６３に接続されている。
【００４４】
テンションロッド２０は、本体部２５と、ジブ先端連結部３１としてのサポート部材６１に摺動自在に支承されるロッド先端連結部２１と、ジブ格納姿勢においてジブ基端連結部６２に連結され、ジブ作業姿勢においてテンションロッド接続リンク１４５に連結されるロッド基端連結部２２と、を有している。そして、本実施例の２つのロッド先端連結部２１、２１は、サポート部材６１に挿入されて摺動自在に支承される摺動軸２６を介して相互に連結されている。
【００４５】
ジブ６０は、ロッド先端連結部２１どうしを連結する摺動軸２６をジブ６０の軸線方向に摺動自在に支承する、ジブ先端連結部としてのサポート部材６１と、ジブ格納姿勢においてテンションロッド２０の中間部を受けるコ字型のガイド部材４０と、ジブ格納姿勢においてロッド基端連結部２２と連結されるジブ基端連結部６２と、ジブ６０の軸線方向に伸縮してロッド先端連結部２１を連結する摺動軸２６を摺動させるチルトシリンダ６３と、を備えている。サポート部材６１は、側面に長孔を有しており、この長孔内に摺動軸２６を摺動自在に支承する。
【００４６】
（作用）
次に、本実施例のテンションロッドの格納構造Ｓの作用について説明する。ジブ格納姿勢では、図１０に示すように、ロッド先端連結部２１どうしを連結する摺動軸２６はサポート部材６１内の基端寄りの位置に配置され、ロッド基端連結部２２はジブ基端連結部６２と連結され、テンションロッド２０の中間部はコ字型のガイド部材４０に押し付けられる。さらに、図１１に示すように、ジブ作業姿勢では、ロッド先端連結部２１どうしを連結する摺動軸２６はサポート部材６１内でチルトシリンダ６３によって先端寄りの位置に移動され、ロッド基端連結部２２はテンションロッド接続リンク１４５に連結され、テンションロッド２０の中間部はガイド部材４０から脱して上方に移動する。
【００４７】
そして、ジブ格納姿勢が下抱姿勢の場合には、図９に示すようにガイド部材４０からテンションロッド２０が逸脱する方向に重力が作用する。本実施例では、自重による撓み量を超えるようにガイド部材４０の高さを設定しているため、この状態でもテンションロッド２０の復元力によって、テンションロッド２０の中間部はガイド部材４０の底面部に押し付けられている。また、ジブ格納姿勢が横抱姿勢の場合には、図８に示すようにテンションロッド２０の復元力はコ字部４１の底壁を水平内向きに押す方向に作用し、かつ、テンションロッド２０の自重はコ字部４１の側壁を垂直下向きに押す方向に作用する。この状態ではテンションロッド２０の復元力は、テンションロッド２０がコ字部４１から逸脱することを妨げる方向に力が作用する。
【００４８】
（効果）
次に、本実施例のテンションロッドの格納構造Ｓの奏する効果を説明する。
【００４９】
（１）上述してきたように、本実施例のテンションロッドの格納構造Ｓは、実施例１と同様に、テンションロッド２０とジブ６０とを備え、ジブ格納姿勢において、ロッド先端連結部２１がジブ先端連結部としてのサポート部材６１と連結されるとともに、ロッド基端連結部２２がジブ基端連結部６２と連結された状態で、テンションロッド２０の弾性変形による復元力によって、テンションロッド２０の中間部がコ字型のガイド部材４０に押し付けられるようになっている。このため、簡単な構成であり、ジブ６０の張出作業の際にテンションロッド２０の中間部での作業が必要とされないテンションロッドの格納構造Ｓとなる。
【００５０】
（２）そして、本実施例のテンションロッドの格納構造Ｓでは、ブーム１４の先端のブームヘッド１４５に、作業姿勢においてロッド基端連結部２２と連結されるテンションロッド接続リンク１４５が取り付けられている。ジブ６０は、ロッド先端連結部２１をジブ６０の軸線方向に摺動自在に支承する、ジブ先端連結部としてのサポート部材６１と、ジブ６０の軸線方向に伸縮してロッド先端連結部２１を摺動させるチルトシリンダ６３と、を有している。そして、ジブ格納姿勢において、ロッド先端連結部２１はサポート部材６１内の基端寄りの位置に配置されるとともに、ロッド基端連結部２２がジブ基端連結部６２と連結された状態で、テンションロッド２０の弾性変形による復元力によって、テンションロッド２０の中間部がコ字型のガイド部材４０に押し付けられるようになっている。さらに、ジブ作業姿勢において、ロッド先端連結部２１はチルトシリンダ６３を伸縮することでサポート部材６１内を摺動移動されて所定位置に配置されるとともに、ロッド基端連結部２２はテンションロッド接続リンク１４５と連結されるようになっている。このように、本実施例のテンションロッドの格納構造Ｓは、実施例１とは異なる形態のテンションロッド２０及びジブ６０に適用できる。この際、実施例１と同様、テンションロッド２０の撓みを利用することで、簡単な構造のガイド部材４０によってテンションロッド２０を格納・保持できる。さらに、ガイド部材４０は上方が開いた構造であるため、ジブ６０の張出作業の際に従来のようにキャッチ部材を解除する必要はない。さらに、ジブ張出時のキャッチ部材の解除忘れによるテンションロッド２０の損傷を防ぐ効果もある。
【００５１】
そして、上述した構成であれば、ジブ張出作業においてブーム上側のテンションロッド接続が不要になる、高所作業をなくして低位置での安全な作業を実現できる、省スペースでの張出が可能で、張出・格納時間も大幅に短縮できる、といった効果を奏する。
【００５２】
なお、この他の構成および作用効果については、前記実施の形態と略同様であるため説明を省略する。
【００５３】
以上、図面を参照して、本発明の実施例を詳述してきたが、具体的な構成は、この実施例に限らず、本発明の要旨を逸脱しない程度の設計的変更は、本発明に含まれる。
【００５４】
例えば、実施例では、「コ字型」のガイド部材４０は、底壁と側壁とが略直交するコ字型である場合について説明したが、これに限定されるものではなく、先端が開いたコ字型であってもよいし、底壁が湾曲したＵ字状なども含まれる。換言すると、本発明における「コ字型」は、ジブ作業姿勢で上になる一辺が開いているオープンな形状であることを意図したものであり、厳密な意味で「コ」の形状とすることを意図するものではない。
【００５５】
また、実施例では、ガイド部材４０がテンションロッド２０の長さ方向に１か所だけ配置される場合について説明したが、これに限定されるものではない。ガイド部材４０は、例えば２か所など、複数の位置に配置することもできる。
【符号の説明】
【００５６】
Ｓ          テンションロッドの格納構造
１          ラフテレーンクレーン
１４        ブーム
１４１      基端ブーム
１４３      先端ブーム
１４４      ブームヘッド
１４５      テンションロッド接続リンク
２０        テンションロッド
２１        ロッド先端連結部
２２        ロッド基端連結部
２３        グリップ
２６        摺動軸
３０        ジブ
３１        ジブ先端連結部
３２        ジブ基端連結部
４０        ガイド部材
４１        コ字部
４２        腕部
４３        補強部
６０        ジブ
６１        サポート部材（ジブ先端連結部）
６２        ジブ基端連結部
６３        チルトシリンダ
【図１】
0006536145.tif 000002
【図２】
0006536145.tif 000003
【図３】
0006536145.tif 000004
【図４】
0006536145.tif 000005
【図５】
0006536145.tif 000006
【図６】
0006536145.tif 000007
【図７】
0006536145.tif 000008
【図８】
0006536145.tif 000009
【図９】
0006536145.tif 000010
【図１０】
0006536145.tif 000011
【図１１】
0006536145.tif 000012